(57)【要約】【課題】光学部品の精密な配置を確保し、好適な画像データを取得可能な画像読取装置を提供すること。【解決手段】画像読取装置Ａは、光源６と、主走査方向に沿って配列された複数の受光素子５と、光学部品２，３と、を収容し、上記主走査方向に沿って延びる開口部を有する長矩形状のケース１と、開口部１ａに嵌め込まれたガラスカバー７と、を備えており、ケース１は、開口部１ａに隣接し、上記主走査方向と直交する方向に沿って所定の間隔を隔てて向かい合う一対の内壁１４ａ，１４ｂを有しており、光学部品２，３は、ガラスカバー７の内面と対向する第１の側面と、内壁１４ａ，１４ｂと対向する第２の側面と、を備え、一対の内壁１４ａ，１４ｂに沿うように配置されており、上記第１と第２の側面との間に、上記第２の側面に近づくにつれてガラスカバー７の内面から遠ざかる傾斜面２２ｃ，３ｃが形成されている。【選択図】  図３
2009165110.tif 000002
【特許請求の範囲】
【請求項１】
光源と、主走査方向に沿って配列された複数の受光素子と、上記光源からの光を上記主走査方向に沿う線状光として読取対象に向けて出射する機能、および、上記線状光の反射光を上記受光素子へ導く機能との少なくともいずれかの機能を有する光学部品と、を収容し、上記主走査方向に沿って延びる開口部を有する長矩形状のケースと、
上記開口部に嵌め込まれ、その一部が樹脂によって上記開口部の少なくとも一部と接着されたガラスカバーと、
を備えた画像読取装置であって、
上記ケースは、上記開口部に隣接し、副走査方向に沿って所定の間隔を隔てて向かい合う一対の内壁を有しており、
上記光学部品は、上記ガラスカバーの内面と対向する第１の側面と、上記内壁の一方と対向する第２の側面と、を備え、上記一対の内壁の一方に沿うように配置されており、
上記第１と第２の側面との間に、上記第２の側面に近づくほど上記ガラスカバーの内面から遠ざかる傾斜面が形成されていることを特徴とする画像読取装置。
【請求項２】
上記ガラスカバーの内面が、上記開口部と接着される接合領域と、上記接合領域を除く非接合領域とに区画されており、上記非接合領域が上記接合領域よりも上記樹脂をより撥ねるように形成されている、請求項１に記載の画像読取装置。
【請求項３】
上記ガラスカバーの内面と対向し、上記ガラスカバーの内面の少なくとも一部に接着される受止面が上記開口部の上記主走査方向における略全長に渡って設けられており、
上記受止面には、上記ガラスカバーから遠ざかる方向に凹む複数のイジェクタピン跡が形成されており、
上記複数のイジェクタピン跡の副走査方向における寸法が、上記受止面の上記副走査方向における寸法よりも小さくなっている、請求項１または２に記載の画像読取装置。
【請求項４】
上記イジェクタピン跡は上記ガラスカバーの内面と対向する底面と、上記底面の中央から離れるにつれて上記ガラスカバーの内面に近づく傾斜面とを備えている、請求項３に記載の画像読取装置。
【請求項５】
光源と、主走査方向に沿って配列された複数の受光素子と、上記光源からの光を上記主走査方向に沿う線状光として読取対象に向けて出射する導光部材と、上記線状光の反射光を上記受光素子へ導くレンズ部材と、を収容し、上記主走査方向に沿って延びる開口部を有する長矩形状のケースと、
上記開口部に嵌め込まれたガラスカバーと、
を備えており、
上記開口部には上記ガラスカバーの内面と対向し、上記ガラスカバーの内面の少なくとも一部に接着される受止面が設けられており、
上記受止面には、上記ガラスカバーから遠ざかる方向に凹む複数のイジェクタピン跡が形成されている画像読取装置であって、
上記受止面は、上記開口部の上記主走査方向における略全長に渡って設けられており、
上記複数のイジェクタピン跡の副走査方向における寸法が、上記受止面の上記副走査方向における寸法よりも小さくなっていることを特徴とする、画像読取装置。
【請求項６】
上記イジェクタピン跡は上記ガラスカバーの内面と対向する底面と、上記底面の中央から離れるにつれて上記ガラスカバーの内面に近づく傾斜面とを備えている、請求項５に記載の画像読取装置。
【請求項７】
上記開口部には、上記ガラスカバーの側縁に対向する側壁面が設けられており、上記側壁面には、外部と通じる樹脂注入孔が形成されている、請求項１ないし６のいずれかに記載の画像読取装置。
【発明の詳細な説明】
【技術分野】
【０００１】
本発明は、画像読取装置に関する。
【背景技術】
【０００２】
図１１は、従来の画像読取装置の一例を示しており、図１２には図１１のXII-XII線に沿う断面図で示している（特許文献１参照）。図１１および図１２に示す画像読取装置Ｘは、ケース９１に導光部材９２、レンズユニット９３、基板９４、センサチップ９５、およびＬＥＤモジュール９６が収容され、ケース９１の上部に設けられた開口部９１ａにガラスカバー９７が嵌めこまれた構成とされている。この画像読取装置Ｘは、主走査方向に長く延びる矩形状に形成されている。ケース９１の開口部９１ａには、ガラスカバー９７の内面の外縁を受け止める受止面９１１およびガラスカバー９７の側縁に対向する側壁面９１２が設けられている。ガラスカバー９７と受止面９１１との間を密封するために、ガラスカバー９７の内面と受止面９１１とは低粘度の樹脂９８によって接着封止されている。
【０００３】
ケース９１は、金型を用いて樹脂成形され、受止面９１１の複数の適所が複数のイジェクタピンに押圧されて金型から取り出される。このため、受止面９１１にはガラスカバー９７から遠ざかる方向に凹む複数のイジェクタピン跡９１１ａが形成される。このイジェクタピン跡９１１ａは、受止面９１１の副走査方向における寸法の全長に渡って形成されている。導光部材９２は、導光体９２ａ、リフレクタ９２ｂおよび出射面９２ｃを備えている。
【０００４】
ＬＥＤモジュール９６からの光は、導光体９２ａ内を上記主走査方向に沿って進行し、出射面９２ｃから上記主走査方向に沿う線状光として出射される。リフレクタ９２ｂは、たとえば白色樹脂などの比較的反射率が高い材質からなり、導光体９２ａから光が漏れることを防止するためのものである。上記線状光は、読取対象に反射された後に、レンズユニット９３によってセンサチップ９５に収束される。センサチップ９５は、上記主走査方向に沿って基板９４に配置されている。これにより、読取対象の内容を画像データとして読み取ることができる。
【０００５】
しかしながら、画像読取装置Ｘでは、開口部９１ａからはみ出した樹脂９８が、導光部材９２およびレンズユニット９３に不当に付着することがあり、導光部材９２およびレンズユニット９３が正常に作動しなくなることがあった。たとえば、樹脂９８によって、導光部材９２に不当な圧力がかかり、位置がずれてしまうと、出射面９２ｃから出射される線状光が読取対象を適正に照射できなくなることがあった。また、樹脂９８によって、レンズユニット９３に不当な圧力がかかり、レンズユニット９３の位置がずれてしまうと、読取対象からの反射光がセンサチップ９５に適正に収束されなくなることがあった。このように、従来の画像読取装置Ｘは、光学部品の精密な配置を確保することができず、好適な画像データを取得することができないことがあった。
【０００６】
さらにまた、画像読取装置Ｘでは、イジェクタピン跡９１１ａとガラスカバー９７との間に上記樹脂が行き渡らないことがあり、受止面９１１とガラスカバー９７との間に隙間が生じてしまうことがあった。このため、ケース９１の内部に紙粉などの異物が入り込み、読み取りが正しく行えなくなることがあった。
【０００７】
【特許文献１】特開２００７−３００５３６号公報
【発明の開示】
【発明が解決しようとする課題】
【０００８】
本発明は、上記した事情のもとで考え出されたものであって、光学部品の精密な配置を確保し、より正確な読み取りを行うことができ、好適な画像データを取得可能な画像読取装置を提供することをその課題とする。
【課題を解決するための手段】
【０００９】
本発明の第１の側面によって提供される画像読取装置は、光源と、主走査方向に沿って配列された複数の受光素子と、上記光源からの光を上記主走査方向に沿う線状光として読取対象に向けて出射する機能、および、上記線状光の反射光を上記受光素子へ導く機能との少なくともいずれかの機能を有する光学部品と、を収容し、上記主走査方向に沿って延びる開口部を有する長矩形状のケースと、上記開口部に嵌め込まれ、その一部が樹脂によって上記開口部の少なくとも一部と接着されたガラスカバーと、を備えた画像読取装置であって、上記ケースは、上記開口部に隣接し、副走査方向に沿って所定の間隔を隔てて向かい合う一対の内壁を有しており、上記光学部品は、上記ガラスカバーの内面と対向する第１の側面と、上記内壁の一方と対向する第２の側面と、を備え、上記一対の内壁の一方に沿うように配置されており、上記第１と第２の側面との間に、上記第２の側面に近づくほど上記ガラスカバーの内面から遠ざかる傾斜面が形成されていることを特徴とする。
【００１０】
このような構成によれば、上記光学部品は、上記受止面に接近する部分が上記ガラスカバーから遠ざかる形状となっているため、上記受止面から上記樹脂がはみ出した場合に、上記樹脂が付着しにくくなっている。このため、上記光学部品の精密な配置を確保しやすくなっている。したがって、このような画像読取装置は、より好適な画像データを取得することができる。
【００１１】
より好ましくは、上記ガラスカバーの内面が、上記開口部と接着される接合領域と、上記接合領域を除く非接合領域とに区画されており、上記非接合領域が上記接合領域よりも上記樹脂をより撥ねるように形成されている。このような構成によれば、上記接合領域から上記非接合領域に上記樹脂がはみ出しにくくなる。このため、上記開口部から上記樹脂が溢れ出しにくくなっており、上記光学部品に上記樹脂がより付着しにくくなっている。したがって、このような画像読取装置は、上記光学部品の精密な配置を確保しやすく、より好適な画像データを取得することができる。
【００１２】
より好ましくは、上記ガラスカバーの内面と対向し、上記ガラスカバーの内面の少なくとも一部に接着される受止面が上記開口部の上記主走査方向における略全長に渡って設けられており、上記受止面には、上記ガラスカバーから遠ざかる方向に凹む複数のイジェクタピン跡が形成されており、上記複数のイジェクタピン跡の副走査方向における寸法が、上記受止面の上記副走査方向における寸法よりも小さくなっている。このような構成によれば、上記イジェクタピン跡が小さく形成されているため、上記受止面が上記主走査方向の略全長に渡って上記ガラスカバーの内面との距離が一定となる領域を有する。このため、上記受止面と上記ガラスカバーとを上記主走査方向の略全長に渡って樹脂によってより確実に密封することができる。したがって、このような画像読取装置は、上記ケース内に異物が入り込みにくく、好適な読み取りを行うことができる。
【００１３】
さらにより好ましくは、上記イジェクタピン跡は上記ガラスカバーの内面と対向する底面と、上記底面の中央から離れるにつれて上記ガラスカバーの内面に近づく傾斜面とを備えている。このため、上記イジェクタピン跡と上記ガラスカバーとの間にも樹脂が行き渡り易くなっており、より確実に上記ガラスカバーと上記受止面との間を密封することができる。したがって、このような画像読取装置は、上記ケース内に異物が入り込みにくく、好適な読み取りを行うことができる。
【００１４】
本発明の第２の側面によって提供される画像読取装置は、光源と、主走査方向に沿って配列された複数の受光素子と、上記光源からの光を上記主走査方向に沿う線状光として読取対象に向けて出射する導光部材と、上記線状光の反射光を上記受光素子へ導くレンズ部材と、を収容し、上記主走査方向に沿って延びる開口部を有する長矩形状のケースと、上記開口部に嵌め込まれたガラスカバーと、を備えており、上記開口部には上記ガラスカバーの内面と対向し、上記ガラスカバーの内面の少なくとも一部に接着される受止面が設けられており、上記受止面には、上記ガラスカバーから遠ざかる方向に凹む複数のイジェクタピン跡が形成されている画像読取装置であって、上記受止面は、上記開口部の上記主走査方向における略全長に渡って設けられており、上記複数のイジェクタピン跡の副走査方向における寸法が、上記受止面の上記副走査方向における寸法よりも小さくなっていることを特徴とする。
【００１５】
このような構成によれば、上記イジェクタピン跡が小さく形成されているため、上記受止面が上記主走査方向の略全長に渡って上記ガラスカバーの内面との距離が一定となる領域を有する。このため、上記受止面と上記ガラスカバーとを上記主走査方向の略全長に渡って樹脂によってより確実に密封することができる。したがって、このような画像読取装置は、上記ケース内に異物が入り込みにくく、好適な読み取りを行うことができる。
【００１６】
より好ましくは、上記イジェクタピン跡は上記ガラスカバーの内面と対向する底面と、上記底面の中央から離れるにつれて上記ガラスカバーの内面に近づく傾斜面とを備えている。このような構成によれば、上記傾斜面によって、上記イジェクタピン跡に樹脂が流れ込みやすくなっている。このため、上記イジェクタピン跡と上記ガラスカバーとの間にも樹脂が行き渡り易くなっており、より確実に上記ガラスカバーと上記受止面との間を密封することができる。したがって、このような画像読取装置は、上記ケース内に異物が入り込みにくく、好適な読み取りを行うことができる。
【００１７】
本発明の好ましい実施の形態においては、上記開口部は、上記ガラスカバーの側縁と対向する側壁面を有しており、上記側壁面に、外部と通じる樹脂注入孔が形成されている。このような構成によれば、上記ガラスカバーを上記開口部にはめ込んだ後に上記樹脂注入孔に上記樹脂を注入し、毛細管現象によって浸透させることにより、上記ガラスカバーを上記開口部に接着することができる。このため、上記樹脂が過多となりにくく、上記開口部から上記樹脂が溢れ出しにくくなっている。したがって、このような画像読取装置は、上記光学部品の精密な配置を確保しやすく、より好適な画像データを取得することができる。
【００１８】
本発明のその他の特徴および利点は、添付図面を参照して以下に行う詳細な説明によって、より明らかとなろう。
【発明を実施するための最良の形態】
【００１９】
以下、本発明の好ましい実施の形態につき、図面を参照して具体的に説明する。
【００２０】
図１〜図３は、本発明に係る画像読取装置の第１実施形態を示している。本実施形態の画像読取装置Ａ１は、ケース１、導光部材２、レンズユニット３、基板４、センサチップ５、ＬＥＤモジュール６、および、ガラスカバー７を備えている。
【００２１】
ケース１は、導光部材２、レンズユニット３、基板４、センサチップ５、ＬＥＤモジュール６を内蔵しており、主走査方向に沿って延びる略直方体形状とされており、その上部にガラスカバー７が嵌め込まれる開口部１ａを有している。この開口部１ａは、図１に示すように、主走査方向に沿って延びる長辺と副走査方向に沿って延びる短辺とを有する長方形状に形成されている。開口部１ａは、図３に示すように、一対の受止面１１、一対の側壁面１２、および２本の溝１３を有している。また、ケース１はその下部にも開口を有している。
【００２２】
一対の受止面１１は、開口部１ａの両長辺に沿ってそれぞれ設けられており、ガラスカバー７の内面と対向し、主走査方向を長手方向とする長方形状に形成されている。一対の受止面１１は、ガラスカバー７の主走査方向に沿う両外縁に樹脂８を介して接着している。一対の側壁面１２は、一対の受止面１１に対して起立しており、ガラスカバー７の両側縁に対向するように形成されている。一対の側壁面１２は、副走査方向においてガラスカバー７を挟みこんで保持している。一対の側壁面１２には、ケース１の外部と通じる樹脂注入孔１２ａが形成されている。樹脂注入孔１２ａは、図２に示すように、一対の側壁面１２の一方側に８個並ぶように設けられている。樹脂注入孔１２ａは、一対の側壁面１２の他方側にも８個並ぶように設けられている。２本の溝１３は、開口部１ａの両長辺に沿うようにそれぞれ設けられている。溝１３は受止面１１と側壁面１２との間に、受止面１１に対して内方に凹むように形成されている。
【００２３】
さらに、図３に示すように、ケース１は、主走査方向に沿って延び、副走査方向において所定の間隔を隔てて互いに向かい合う一対の内面１４ａ，１４ｂを有している。内面１４ａは、開口部１ａ寄りの端縁において、一対の受止面１１の一方と直交している。内面１４ｂは開口部１ａ寄りの端縁において、一対の受止面１１の他方と直交している。なお、このケース１は、たとえば黒色の樹脂によって形成されている。
【００２４】
導光部材２は、本発明に係る光学部品の一例であり、導光体２１とリフレクタ２２とによって構成されている。導光体２１は、たとえばメタクリル酸メチル樹脂（ＰＭＭＡ）などの透明な樹脂からなり、ＬＥＤモジュール６からの光を主走査方向に延びる線状光として出射面２１ａから出射するためのものである。この導光体２１は、主走査方向に沿って延びており、その一方の端部にＬＥＤモジュール６と向かい合う入射面を有している。リフレクタ２２は、導光体２１内を進行する光が不当に漏れることを防ぐためのものであり、たとえば白色の樹脂によって形成されている。図３に示すように、リフレクタ２２は、導光体２１を抱え込むように収容している。このリフレクタ２２は、ガラスカバー７の内面と対向する第１の側面２２ａと、内面１４ａと対向する第２の側面２２ｂと、第１の側面２２ａと第２の側面２２ｂとの間に設けられた傾斜面２２ｃとを有している。傾斜面２２ｃは、第２の側面２２ｂに近づくほどガラスカバー７の内面から遠ざかるように、第１の側面２２ａに対して４５°傾くように形成されている。この傾斜面２２ｃは、その長辺がリフレクタ２２の主走査方向に沿う略全長に渡って延び、短辺がたとえば３ｍｍ以上である長方形状となっている。なお、傾斜面２２ｃは、傾斜面２２ｃに対応する傾斜面を有する金型を用いてリフレクタ２２を樹脂成形することによって容易に形成することができる。
【００２５】
レンズユニット３は、本発明に係る光学部品の一例であり、たとえば主走査方向に配列された複数の円柱状のレンズが樹脂製のハウジングに保持された構成とされている。このレンズユニット３は、上記複数のレンズにより読取対象Ｐによって反射された線状光をセンサチップ５に収束させることができる。図３に示すように、レンズユニット３のハウジングは、ガラスカバー７の内面と対向する第１の側面３ａと、内面１４ｂと対向する第２の側面３ｂと、第１の側面３ａと第２の側面３ｂとの間に設けられた傾斜面３ｃとを有している。傾斜面３ｃは、第２の側面３ｂに近づくほどガラスカバー７の内面から遠ざかるように、第１の側面３ａに対して４５°傾くように形成されている。この傾斜面３ｃは、その長辺がレンズユニット３のハウジングの主走査方向に沿う略全長に渡って延び、短辺がたとえば３ｍｍ以上である長方形状となっている。なお、傾斜面３ｃは、傾斜面３ｃに対応する傾斜面を有する金型を用いてレンズユニット３のハウジングを樹脂成形することによって容易に形成することができる。
【００２６】
基板４は、たとえばセラミックまたはガラスエポキシ樹脂からなり、センサチップ５が実装されており、ＬＥＤモジュール６と電気的に接続されている。この基板４は、主走査方向に沿って延びる長矩形状に形成されており、ケース１の下側の開口に嵌め込まれている。
【００２７】
センサチップ５は、本発明における受光素子の一例であり、基板４に主走査方向に延びるように配置されている。このセンサチップ５は、受けた光に応じた起電力を生じ、さらにこの起電力から画素ごとの輝度信号を出力可能に構成されている。画像読取装置Ａ１は、読取対象Ｐによって反射された光をセンサチップ５によって受光することにより、読取対象Ｐの記載内容を画像データとして読み取ることができる。
【００２８】
ＬＥＤモジュール６は、本発明における光源であり、たとえば赤色光、青色光、緑色光を出射するＬＥＤチップを内蔵している。このＬＥＤモジュール６は、内蔵するＬＥＤチップの出射面が導光体２１の主走査方向における一端と対向するようにケース１の主走査方向に沿う一方の端に設置されている。
【００２９】
なお、入射面が基板４と平行となるような導光体を用い、上記ＬＥＤチップの出射面がこの導光体の入射面と対向するようにＬＥＤモジュールを基板４に搭載しても構わない。
【００３０】
ガラスカバー７は、主走査方向を長手方向とする略直方体形状であり、図３に示すように、受止面１１に樹脂８を介して接着される接合領域７ａと、それ以外の非接合領域７ｂとを有している。接合領域７ａは、ガラスカバー７の主走査方向に沿う両側縁に設けられている。非接合領域７ｂには撥水性の界面活性剤が塗布されている。
【００３１】
受止面１１と接合領域７ａとを接着させる樹脂８は、粘度がたとえば２５０〜２０００ｍＰａ／ｓの樹脂が用いられる。この樹脂８は、ガラスカバー７を開口部１ａに嵌め込んだ状態で樹脂注入孔１２ａから溝１３に注入される。溝１３から溢れた樹脂８は毛細管現象によって受止面１１と接合領域７ａとの間に浸透して両者を接着させる。このため、樹脂８は過多となりにくく、余分な樹脂８が受止面１１と接合領域７ａとの間から溢れることがない。
【００３２】
次に、画像読取装置Ａ１の作用について説明する。
【００３３】
上記のような画像読取装置Ａ１では、リフレタク２２に傾斜面２２ｃが形成されているため、リフレクタ２２に樹脂８が付着しにくくなっている。このため、リフレクタ２２およびこれに保持される導光体２１の精密な配置が確保されやすくなっている。したがって、導光部材２からの線状光が読取対象Ｐを正確に照射することができ、画像読取装置Ａ１は好適な画像データを取得しやすくなっている。
【００３４】
さらに、本実施形態では、レンズユニット３のハウジングに傾斜面３ｃが形成されているため、レンズユニット３に樹脂８が付着しにくくなっている。このため、レンズユニット３の精密な配置が確保されやすくなっている。したがって、レンズユニット３が読取対象Ｐからの反射光を正確にセンサチップ５に収束させることができ、画像読取装置Ａ１は好適な画像データを取得しやすくなっている。
【００３５】
さらに、本実施形態では、非接合領域７ｂに撥水性の界面活性剤が塗布されるため、受止面１１と接合領域７ａとの間から非接合領域７ｂに樹脂８が浸透しにくくなっている。このため、導光部材２およびレンズユニット３に樹脂８がより一層付着しにくくなっている。したがって、画像読取装置Ａ１は、より好適な画像データを取得しやすくなっている。
【００３６】
図４〜図７は、本発明に係る画像読取装置の第２実施形態を示している。本実施形態の画像読取装置Ａ２は、ケース１、導光部材２、レンズユニット３、基板４、センサチップ５、ＬＥＤモジュール６、および、ガラスカバー７を備えている。
【００３７】
ケース１は、導光部材２、レンズユニット３、基板４、センサチップ５、ＬＥＤモジュール６を内蔵しており、主走査方向に沿って延びる略直方体形状とされており、その上部にガラスカバー７が嵌め込まれる開口部１ａを有している。この開口部１ａは、図４に示すように、主走査方向に沿って延びる長辺と副走査方向に沿って延びる短辺とを有する長方形状に形成されている。開口部１ａは、図６に示すように、一対の受止面１１、一対の側壁面１２、および２本の溝１３を有している。また、ケース１はその下部にも開口を有している。このケース１は、金型に樹脂を注入し、固化させた後に、複数のイジェクタピンによって金型から押し出すことによって形成される。
【００３８】
一対の受止面１１は、開口部１ａの両長辺に沿ってそれぞれ設けられており、ガラスカバー７の内面と対向し、主走査方向を長手方向とする長方形状に形成されている。一対の受止面１１は、ガラスカバー７の主走査方向に沿う両外縁に樹脂８を介して接着している。一対の受止面１１のそれぞれには主走査方向に沿って４個配列されたイジェクタピン跡１１１が形成されている。受止面１１のイジェクタピン跡１１１を除く領域は、開口部１ａの長辺の略全長に渡って、一定の間隔を保ってガラスカバー７の内面と対向するように形成されている。この領域に対してイジェクタピン跡１１１は、ガラスカバー７の内面から遠ざかる方向に凹んでいる。
【００３９】
イジェクタピン跡１１１は、図６および図７に示すように、底面１１２と傾斜面１１３とによって構成されている。底面１１２は、主走査方向に沿って延びる長方形状であり、ガラスカバー７の内面と対向するように配置されている。底面１１２は、その内寄りの長辺が、受止面１１の内寄りの長辺と沿うように配置されている。また、底面１１２の外寄りの長辺および両短辺は傾斜面１１３と連結されている。傾斜面１１３は、底面１１２の中央から離れるにつれてガラスカバー７の内面に近づくように底面１１２に対して４５°の傾斜を有している。底面１１２の外寄りの長辺に一方の端縁が連結された傾斜面１１３の他方の端縁は、受止面１１の外寄りの長辺から所定長さ内方に位置している。
【００４０】
イジェクタピン跡１１１は、ケース１を製造する際に、金型からケース１を押し出すためにイジェクタピンが受止面１１を押圧することによって形成される。このとき、副走査方向における寸法が受止面１１の副走査方向における寸法よりも小さいイジェクタピンを用いることにより、副走査方向における寸法が受止面１１よりも小さいイジェクタピン跡１１１を形成することができる。上記のように傾斜面１１３を有するイジェクタピン跡１１１は、傾斜面１１３に対応する傾斜面を有するイジェクタピンを用いることによって形成することができる。
【００４１】
一対の側壁面１２は、一対の受止面１１に対して起立しており、ガラスカバー７の両側縁に対向するように形成されている。一対の側壁面１２は、副走査方向においてガラスカバー７を挟みこんで保持している。一対の側壁面１２には、ケース１の外部と通じる樹脂注入孔１２ａが形成されている。樹脂注入孔１２ａは、図５に示すように、一対の側壁面１２の一方側に８個並ぶように設けられている。樹脂注入孔１２ａは、一対の側壁面１２の他方側にも８個並ぶように設けられている。２本の溝１３は、開口部１ａの両長辺に沿うようにそれぞれ設けられている。溝１３は受止面１１の外寄りの長辺と側壁面１２との間に、受止面１１に対してガラスカバー７の内面から遠ざかる方向に凹むように形成されている。なお、このケース１は、たとえば黒色の樹脂によって形成されている。
【００４２】
導光部材２は、導光体２１とリフレクタ２２とによって構成されている。導光体２１は、たとえばメタクリル酸メチル樹脂（ＰＭＭＡ）などの透明な樹脂からなり、ＬＥＤモジュール６からの光を主走査方向に延びる線状光として出射面２１ａから出射するためのものである。この導光体２１は、主走査方向に沿って延びており、その一方の端部に基板４と対向する入射面およびこの入射面に対して傾斜する傾斜部とを有している。この傾斜部は、上記入射面から入射した光を反射することにより、主走査方向に沿って進行させるための面である。リフレクタ２２は、導光体２１内を進行する光が不当に漏れることを防ぐためのものであり、たとえば白色の樹脂によって形成されている。図６に示すように、リフレクタ２２は、導光体２１を抱え込むように収容している。
【００４３】
レンズユニット３は、たとえば主走査方向に配列された複数の円柱状のレンズが樹脂製のハウジングに保持された構成とされている。このレンズユニット３は、上記複数のレンズにより読取対象Ｐによって反射された線状光をセンサチップ５に収束させることができる。
【００４４】
基板４は、たとえばセラミックまたはガラスエポキシ樹脂からなり、センサチップ５およびＬＥＤモジュール６が実装されている。この基板４は、主走査方向に沿って延びる長矩形状に形成されており、ケース１の下側の開口に嵌め込まれている。
【００４５】
センサチップ５は、本発明における受光素子の一例であり、基板４に主走査方向に延びるように配置されている。このセンサチップ５は、受けた光に応じた起電力を生じ、さらにこの起電力から画素ごとの輝度信号を出力可能に構成されている。画像読取装置Ａ２は、読取対象Ｐによって反射された光をセンサチップ５によって受光することにより、読取対象Ｐの記載内容を画像データとして読み取ることができる。
【００４６】
ＬＥＤモジュール６は、本発明における光源であり、たとえば赤色光、青色光、緑色光を出射するＬＥＤチップを内蔵している。このＬＥＤモジュール６は、内蔵するＬＥＤチップの出射面が導光体２１の入射面と対向するように基板４の主走査方向に沿う一方の端に設置されている。
【００４７】
ガラスカバー７は、主走査方向を長手方向とする略直方体形状であり、開口部１ａに嵌め込まれている。ガラスカバー７の主走査方向に沿う両側縁の内面は、受止面１１に樹脂８を介して接着されている。樹脂８は、粘度がたとえば２５０〜２０００ｍＰａ／ｓの樹脂が用いられる。この樹脂８は、ガラスカバー７を開口部１ａに嵌め込んだ状態で樹脂注入孔１２ａから溝１３に注入される。溝１３から溢れた樹脂８は毛細管現象によって受止面１１とガラスカバー７の内面との間に浸透して両者を接着させる。
【００４８】
次に、画像読取装置Ａ２の作用について説明する。
【００４９】
上記のような画像読取装置Ａ２では、イジェクタピン跡１１１の外寄りの端縁が受止面１１の外寄りの端縁より内寄りの位置にある。このため、受止面１１は、その外寄りの端縁部が、主走査方向における略全長に渡って凹むことなく一定の間隔を保ってガラスカバー７の内面と対向している。したがって、毛細管現象によって浸透する樹脂８がガラスカバー７の内面と受止面１１との間に行き渡りやすく、ガラスカバー７と受止面１１との間を好ましく密封することができる。このような画像読取装置Ａ２は、ガラスカバー７と受止面１１との間から異物が入りにくいために、故障がおきにくく、好適な読み取りを行うことができる。
【００５０】
さらに、本実施形態では、イジェクタピン跡１１１に傾斜面１１３が形成されているため、樹脂８が傾斜面１１３から底面１１２へと流れ込みやすくなっている。このため、イジェクタピン跡１１１とガラスカバー７の内面との間が樹脂８で満たされやすくなっており、より確実にガラスカバー７と受止面１１との間を密封することができる。したがって、画像読取装置Ａ２は、より一層、ガラスカバー７と受止面１１との間から異物が入りにくくなり、故障がおきにくく、好適な読み取りを行うことができる。
【００５１】
図８〜図１０は、本発明に係る画像読取装置の第３実施形態を示している。本実施形態の画像読取装置Ａ３は、ケース１、導光部材２、レンズユニット３、基板４、センサチップ５、ＬＥＤモジュール６、および、ガラスカバー７を備えている。
【００５２】
ケース１は、導光部材２、レンズユニット３、基板４、センサチップ５、ＬＥＤモジュール６を内蔵しており、主走査方向に沿って延びる略直方体形状とされており、その上部にガラスカバー７が嵌め込まれる開口部１ａを有している。この開口部１ａは、主走査方向に沿って延びる長辺と副走査方向に沿って延びる短辺とを有する長方形状に形成されている。開口部１ａは、一対の受止面１１、一対の側壁面１２、および２本の溝１３を有している。また、ケース１はその下部にも開口を有している。このケース１は、金型に樹脂を注入し、固化させた後に、複数のイジェクタピンによって金型から押し出すことによって形成される。
【００５３】
一対の受止面１１は、開口部１ａの両長辺に沿ってそれぞれ設けられており、ガラスカバー７の内面と対向し、主走査方向を長手方向とする長方形状に形成されている。一対の受止面１１は、ガラスカバー７の主走査方向に沿う両外縁に樹脂８を介して接着している。一対の受止面１１のそれぞれには主走査方向に沿って４個配列されたイジェクタピン跡１１１が形成されている。受止面１１のイジェクタピン跡１１１を除く領域は、開口部１ａの長辺の略全長に渡って、一定の間隔を保ってガラスカバー７の内面と対向するように形成されている。この領域に対してイジェクタピン跡１１１は、ガラスカバー７の内面から遠ざかる方向に凹んでいる。
【００５４】
イジェクタピン跡１１１は、底面１１２と傾斜面１１３とによって構成されている。底面１１２は、主走査方向に沿って延びる長方形状であり、ガラスカバー７の内面と対向するように配置されている。底面１１２は、その内寄りの長辺が、受止面１１の内寄りの長辺と沿うように配置されている。また、底面１１２の外寄りの長辺および両短辺は傾斜面１１３と連結されている。傾斜面１１３は、底面１１２の中央から離れるにつれてガラスカバー７の内面に近づくように底面１１２に対して４５°の傾斜を有している。底面１１２の外寄りの長辺に一方の端縁が連結された傾斜面１１３の他方の端縁は、受止面１１の外寄りの長辺から所定長さ内方に位置している。
【００５５】
イジェクタピン跡１１１は、ケース１を製造する際に、金型からケース１を押し出すためにイジェクタピンが受止面１１を押圧することによって形成される。このとき、副走査方向における寸法が受止面１１の副走査方向における寸法よりも小さいイジェクタピンを用いることにより、副走査方向における寸法が受止面１１よりも小さいイジェクタピン跡１１１を形成することができる。上記のように傾斜面１１３を有するイジェクタピン跡１１１は、傾斜面１１３に対応する傾斜面を有するイジェクタピンを用いることによって形成することができる。
【００５６】
一対の側壁面１２は、一対の受止面１１に対して起立しており、ガラスカバー７の両側縁に対向するように形成されている。一対の側壁面１２は、副走査方向においてガラスカバー７を挟みこんで保持している。一対の側壁面１２には、ケース１の外部と通じる樹脂注入孔１２ａが形成されている。樹脂注入孔１２ａは、図９に示すように、一対の側壁面１２の一方側に８個並ぶように設けられている。樹脂注入孔１２ａは、一対の側壁面１２の他方側にも８個並ぶように設けられている。２本の溝１３は、開口部１ａの両長辺に沿うようにそれぞれ設けられている。溝１３は受止面１１の外寄りの長辺と側壁面１２との間に、受止面１１に対してガラスカバー７の内面から遠ざかる方向に凹むように形成されている。
【００５７】
またさらに、ケース１は、主走査方向に沿って延び、副走査方向において所定の間隔を隔てて互いに向かい合う一対の内面１４ａ，１４ｂを有している。内面１４ａは、開口部１ａ寄りの端縁において、一対の受止面１１の一方と直交している。内面１４ｂは開口部１ａ寄りの端縁において、一対の受止面１１の他方と直交している。なお、このケース１は、たとえば黒色の樹脂によって形成されている。
【００５８】
導光部材２は、本発明に係る光学部品の一例であり、導光体２１とリフレクタ２２とによって構成されている。導光体２１は、たとえばメタクリル酸メチル樹脂（ＰＭＭＡ）などの透明な樹脂からなり、ＬＥＤモジュール６からの光を主走査方向に延びる線状光として出射面２１ａから出射するためのものである。この導光体２１は、主走査方向に沿って延びており、その一方の端部にＬＥＤモジュール６と向かい合う入射面を有している。リフレクタ２２は、導光体２１内を進行する光が不当に漏れることを防ぐためのものであり、たとえば白色の樹脂によって形成されている。図１０に示すように、リフレクタ２２は、導光体２１を抱え込むように収容している。このリフレクタ２２は、ガラスカバー７の内面と対向する第１の側面２２ａと、内面１４ａと対向する第２の側面２２ｂと、第１の側面２２ａと第２の側面２２ｂとの間に設けられた傾斜面２２ｃとを有している。傾斜面２２ｃは、第２の側面２２ｂに近づくほどガラスカバー７の内面から遠ざかるように、第１の側面２２ａに対して４５°傾くように形成されている。この傾斜面２２ｃは、その長辺がリフレクタ２２の主走査方向に沿う略全長に渡って延び、短辺がたとえば３ｍｍ以上である長方形状となっている。なお、傾斜面２２ｃは、傾斜面２２ｃに対応する傾斜面を有する金型を用いてリフレクタ２２を樹脂成形することによって容易に形成することができる。
【００５９】
レンズユニット３は、本発明に係る光学部品の一例であり、たとえば主走査方向に配列された複数の円柱状のレンズが樹脂製のハウジングに保持された構成とされている。このレンズユニット３は、上記複数のレンズにより読取対象Ｐによって反射された線状光をセンサチップ５に収束させることができる。図１０に示すように、レンズユニット３のハウジングは、ガラスカバー７の内面と対向する第１の側面３ａと、内面１４ｂと対向する第２の側面３ｂと、第１の側面３ａと第２の側面３ｂとの間に設けられた傾斜面３ｃとを有している。傾斜面３ｃは、第２の側面３ｂに近づくほどガラスカバー７の内面から遠ざかるように、第１の側面３ａに対して４５°傾くように形成されている。この傾斜面３ｃは、その長辺がレンズユニット３のハウジングの主走査方向に沿う略全長に渡って延び、短辺がたとえば３ｍｍ以上である長方形状となっている。なお、傾斜面３ｃは、傾斜面３ｃに対応する傾斜面を有する金型を用いてレンズユニット３のハウジングを樹脂成形することによって容易に形成することができる。
【００６０】
基板４は、たとえばセラミックまたはガラスエポキシ樹脂からなり、センサチップ５が実装されており、ＬＥＤモジュール６と電気的に接続されている。この基板４は、主走査方向に沿って延びる長矩形状に形成されており、ケース１の下側の開口に嵌め込まれている。
【００６１】
センサチップ５は、本発明における受光素子の一例であり、基板４に主走査方向に延びるように配置されている。このセンサチップ５は、受けた光に応じた起電力を生じ、さらにこの起電力から画素ごとの輝度信号を出力可能に構成されている。画像読取装置Ａ３は、読取対象Ｐによって反射された光をセンサチップ５によって受光することにより、読取対象Ｐの記載内容を画像データとして読み取ることができる。
【００６２】
ＬＥＤモジュール６は、本発明における光源であり、たとえば赤色光、青色光、緑色光を出射するＬＥＤチップを内蔵している。このＬＥＤモジュール６は、内蔵するＬＥＤチップの出射面が導光体２１の入射面と対向するように基板４の主走査方向に沿う一方の端に設置されている。
【００６３】
ガラスカバー７は、主走査方向を長手方向とする略直方体形状であり、図１０に示すように、受止面１１に樹脂８を介して接着される接合領域７ａと、それ以外の非接合領域７ｂとを有している。接合領域７ａは、ガラスカバー７の主走査方向に沿う両側縁に設けられている。非接合領域７ｂには撥水性の界面活性剤が塗布されている。
【００６４】
受止面１１と接合領域７ａとを接着させる樹脂８は、粘度がたとえば２５０〜２０００ｍＰａ／ｓの樹脂が用いられる。この樹脂８は、ガラスカバー７を開口部１ａに嵌め込んだ状態で樹脂注入孔１２ａから溝１３に注入される。溝１３から溢れた樹脂８は毛細管現象によって受止面１１と接合領域７ａとの間に浸透して両者を接着させる。このため、樹脂８は過多となりにくく、余分な樹脂８が受止面１１と接合領域７ａとの間から溢れることがない。
【００６５】
このような画像読取装置Ａ３は、画像読取装置Ａ１と同様に、リフレタク２２に傾斜面２２ｃが形成されているため、リフレクタ２２に樹脂８が付着しにくくなっている。このため、リフレクタ２２およびこれに保持される導光体２１の精密な配置が確保されやすくなっている。したがって、導光部材２からの線状光が読取対象Ｐを正確に照射することができ、画像読取装置Ａ３は好適な画像データを取得しやすくなっている。
【００６６】
さらに、本実施形態では、レンズユニット３のハウジングに傾斜面３ｃが形成されているため、レンズユニット３に樹脂８が付着しにくくなっている。このため、レンズユニット３の精密な配置が確保されやすくなっている。したがって、レンズユニット３が読取対象Ｐからの反射光を正確にセンサチップ５に収束させることができ、画像読取装置Ａ３は好適な画像データを取得しやすくなっている。
【００６７】
さらに、本実施形態では、非接合領域７ｂに撥水性の界面活性剤が塗布されるため、受止面１１と接合領域７ａとの間から非接合領域７ｂに樹脂８が浸透しにくくなっている。このため、導光部材２およびレンズユニット３に樹脂８がより一層付着しにくくなっている。したがって、画像読取装置Ａ３は、より好適な画像データを取得しやすくなっている。
【００６８】
さらに、このような画像読取装置Ａ３は、画像読取装置Ａ２と同様に、イジェクタピン跡１１１の外寄りの端縁が受止面１１の外寄りの端縁より内寄りの位置にある。このため、受止面１１は、その外寄りの端縁部が、主走査方向における略全長に渡って凹むことなく一定の間隔を保ってガラスカバー７の内面と対向している。したがって、毛細管現象によって浸透する樹脂８がガラスカバー７の内面と受止面１１との間に行き渡りやすく、ガラスカバー７と受止面１１との間を好ましく密封することができる。このような画像読取装置Ａ３は、ガラスカバー７と受止面１１との間から異物が入りにくいために、故障がおきにくく、好適な読み取りを行うことができる。
【００６９】
さらに、本実施形態では、イジェクタピン跡１１１に傾斜面１１３が形成されているため、樹脂８が傾斜面１１３から底面１１２へと流れ込みやすくなっている。このため、イジェクタピン跡１１１とガラスカバー７の内面との間が樹脂８で満たされやすくなっており、より確実にガラスカバー７と受止面１１との間を密封することができる。したがって、画像読取装置Ａ３は、より一層、ガラスカバー７と受止面１１との間から異物が入りにくくなり、故障がおきにくく、好適な読み取りを行うことができる。
【００７０】
本発明に係る画像読取装置は、上述した実施形態に限定されるものではない。本発明に係る画像読取装置における各部の具体的な構成は、種々に設計変更自在である。
【００７１】
たとえば上記の第１または第３実施形態において、傾斜面２２ｃおよび傾斜面３ｃの第１の側面２２ａ，３ａに対する傾斜角は４５°に限定されず、第２の側面２２ｂ，３ｂに近づくにつれてガラスカバー７から遠ざかるような傾斜角であればよい。また、傾斜面２２ｃまたは傾斜面３ｃが複数の面によって構成されていても構わない。
【００７２】
さらに、傾斜面２２ｃおよび傾斜面３ｃを形成する際には、傾斜面のない金型を用いて樹脂成形を行い、その後にカットすることによって傾斜面２２ｃおよび傾斜面３ｃを形成してもよい。
【００７３】
また、上記の第２または第３実施形態において、たとえば、イジェクタピン跡１１１が傾斜面１１３を有さない場合も実施可能である。この場合でも、イジェクタピン跡１１１の外寄りの端縁が受止面１１の外寄りの端縁よりも内側であれば、ガラスカバー７と受止面１１との間を密封しやすくなっている。
【００７４】
また、イジェクタピン跡１１１の数は、ケース１を金型から取り出す際に用いられるイジェクタピンの数によって変化するものであり、その数によって本発明が限定されることはない。
【００７５】
また、さらに、上記実施形態では、イジェクタピン跡１１１は、内寄りの端縁が受止面１１の内寄りの端縁と一致するように配置されているが、イジェクタピン跡１１１の副走査方向における両端縁が受止面１１の内部にあっても構わない。なお、上記実施形態では、底面１１２は主走査方向に延びる長方形状であるが、副走査方向に延びる長方形状や円形状といったその他の形状であっても構わない。
【図面の簡単な説明】
【００７６】
【図１】本発明に係る画像読取装置の第１実施形態を示す平面図である。
【図２】図１に示す画像読取装置の正面図である。
【図３】図２のIII-III線に沿う断面図である。
【図４】本発明に係る画像読取装置の第２実施形態を示す平面図である。
【図５】図４に示す画像読取装置の正面図である。
【図６】図４のVI-VI線に沿う断面図である。
【図７】図４に示す画像読取装置の要部拡大図である。
【図８】本発明に係る画像読取装置の第３実施形態を示す平面図である。
【図９】図８に示す画像読取装置の正面図である。
【図１０】図８のX-X線に沿う断面図である。
【図１１】従来の画像読取装置の一例を示す平面図である。
【図１２】図１１のXII-XII線に沿う断面図である。
【符号の説明】
【００７７】
Ａ１，Ａ２，Ａ３  画像読取装置
Ｐ                読取対象
１                ケース
１ａ              開口部
２                導光部材
３                レンズユニット
３ａ              第１の側面
３ｂ              第２の側面
３ｃ              傾斜面
４                基板
５                センサチップ（受光素子）
６                ＬＥＤモジュール（光源）
７                ガラスカバー
８                樹脂
１１              受止面
１２              側壁面
１２ａ            樹脂注入孔
１３              溝
１４ａ，１４ｂ    内面
２１              導光体
２１ａ            出射面
２２              リフレクタ
２２ａ            第１の側面
２２ｂ            第２の側面
２２ｃ            傾斜面
１１１            イジェクタピン跡
１１２            底面
１１３            傾斜面
【図１】
2009165110.tif 000003
【図２】
2009165110.tif 000004
【図３】
2009165110.tif 000005
【図４】
2009165110.tif 000006
【図５】
2009165110.tif 000007
【図６】
2009165110.tif 000008
【図７】
2009165110.tif 000009
【図８】
2009165110.tif 000010
【図９】
2009165110.tif 000011
【図１０】
2009165110.tif 000012
【図１１】
2009165110.tif 000013
【図１２】
2009165110.tif 000014